(57)【要約】【課題】塗膜除去作業を効率よく行うことができる塗膜除去方法を提供すること。【解決手段】基材２上に塗装された塗膜３を、水を用いて基材２から剥離し、剥離された塗膜１０を捕集することによって塗膜３を除去する塗膜除去方法において、基材２から剥離された塗膜１０の捕集を、基材２の前方にある地面４上に敷設した第１親水性不織布８Ａを用いて行うことを特徴とする塗膜除去方法。【選択図】図２
2015223531.tif 000002
【特許請求の範囲】
【請求項１】
基材上に塗装された塗膜を、水を用いて前記基材から剥離し、剥離された塗膜を捕集することによって前記塗膜を除去する塗膜除去方法において、
前記基材から剥離された前記塗膜の捕集を、前記基材の前方にある地面又は床面上に敷設した第１親水性不織布を用いて行うことを特徴とする塗膜除去方法。
【請求項２】
前記基材から剥離された前記塗膜の捕集を、前記基材と前記第１親水性不織布のうち前記基材側の端部とを結ぶように敷設した第２親水性不織布をさらに用いて行うことを特徴とする請求項１に記載の塗膜除去方法。
【請求項３】
前記基材から剥離された前記塗膜の捕集を、前記第１親水性不織布のうち前記基材と反対側の端部から立ち上がるように敷設した第３親水性不織布をさらに用いて行うことを特徴とする請求項１又は２に記載の塗膜除去方法。
【発明の詳細な説明】
【技術分野】
【０００１】
本発明は、塗膜除去方法に関する。
【背景技術】
【０００２】
建物の外壁材やベランダ側壁等の基材から劣化した塗膜を剥離する場合、水を用いて剥離することが一般に行われている。
【０００３】
このとき剥離された塗膜は飛散して地面又は床面に向かって落ちる。ここで、地面が砂利面であったり、床面がスノコで構成されていたりすると、剥離された塗膜が砂利やスノコの隙間に入り込み、塗膜の回収が困難となる。このため、塗膜の回収作業に多大な時間が必要となり、塗膜を剥離してから回収するまでの作業、すなわち、塗膜除去作業の効率が低下する。
【０００４】
そのため、例えば下記特許文献１に開示されるように、箱体や椀状体を用いて塗膜を回収することが提案されている。
【先行技術文献】
【特許文献】
【０００５】
【特許文献１】特開２００５−１６１２８６号公報
【発明の概要】
【発明が解決しようとする課題】
【０００６】
しかし、上記特許文献１の方法は以下に示す課題を有していた。
【０００７】
すなわち、箱体や椀状体によって塗膜を回収する場合、剥離されて飛散した塗膜を十分に回収することができず、塗膜は地面又は床面に落ちる。このとき、地面又は床面に落ちた塗膜の回収は困難であるため、塗膜の回収作業にかなりの時間がかかり、塗膜の除去作業はかなり非効率なものとなる。特に、塗膜が砂利面などに入り込むと、塗膜の除去作業はより一層非効率なものとなる。
【０００８】
本発明は上記事情に鑑みてなされたものであり、塗膜除去作業を効率よく行うことができる塗膜除去方法を提供することを目的とする。
【課題を解決するための手段】
【０００９】
本発明者らは、上記課題を解決するため鋭意検討した。その結果、基材の前方の地面又は床面上にシートを敷設することを考えた。しかし、本発明者らが、シートとして、疎水性の非透水性シートを敷設したところ、シート上に塗膜が水とともに残り、この水が、作業者の足を滑らせるなど、作業の妨げになることに気付いた。ここで、シート上の塗膜を回収しようとすると、塗膜が水と一緒にシート表面から流れ落ちてしまい、結局、塗膜を効率よく回収できない。そこで、本発明者らはさらに鋭意研究を重ねた結果、以下の発明により上記課題を解決し得ることを見出した。
【００１０】
すなわち本発明は、基材上に塗装された塗膜を、水を用いて前記基材から剥離し、剥離された塗膜を捕集することによって前記塗膜を除去する塗膜除去方法において、前記基材から剥離された前記塗膜の捕集を、前記基材の前方にある地面又は床面上に敷設した第１親水性不織布を用いて行うことを特徴とする塗膜除去方法である。
【００１１】
この発明によれば、塗膜を、水を用いて基材から剥離すると、剥離された塗膜は、基材の前方に飛散して地面又は床面に向かって落ちる。その際、地面又は床面に第１親水性不織布が敷設されているため、塗膜は水とともに第１親水性不織布上に落ち、塗膜が地面又は床面上に直接落ちることが十分に抑制される。しかも、第１親水性不織布は親水性を有するため、水は第１親水性不織布を透過しやすい。このため、塗膜が第１親水性不織布上に残りやすくなる。この結果、第１親水性不織布上に水が残りにくくなるため、この水が塗膜の剥離作業の妨げとなることが十分に防止される。また、塗膜は水と分離されると、第１親水性不織布に絡まりやすくなる。このため、塗膜をしっかりと第１親水性不織布で捕集することが可能となる。別言すれば、塗膜が地面又は床面に入り込むことが第１親水性不織布で十分に阻止されるため、地面又は床面に入り込んだ塗膜を回収するための時間を省略することが可能となる。以上のことから、本発明の塗膜除去方法によれば、塗膜除去作業を効率よく行うことができる。
【００１２】
また上記塗膜除去方法においては、前記基材から剥離された前記塗膜の捕集を、前記基材と前記第１親水性不織布のうち前記基材側の端部とを結ぶように敷設した第２親水性不織布をさらに用いて行うことが好ましい。
【００１３】
この場合、基材と地面又は床面との間に、例えば家屋のコンクリートブロックなどからなる基礎が存在していても、その基礎が第２親水性不織布によって覆われることになるため、塗膜が基礎に付着することが十分に抑制される。このため、塗膜剥離作業が終わった後、基礎をブラシ等でこすり落とす作業が省略可能となり、塗膜除去作業の効率がより向上する。また第２親水性不織布は水を透過させやすい。このため、塗膜が第２親水性不織布に付着した後、水と一緒に第１親水性不織布に流れ落ちることが十分に抑制される。このため、第１親水性不織布において目詰まりが起こりにくくなり、第１親水性不織布をより長時間使用することが可能となる。
【００１４】
さらに上記塗膜除去方法においては、前記基材から剥離された前記塗膜の捕集を、前記第１親水性不織布のうち前記基材と反対側の端部から立ち上がるように敷設した第３親水性不織布をさらに用いて行うことが好ましい。
【００１５】
塗膜を基材から剥離する際、塗膜の中には基材から離れた位置まで飛散する場合もある。その点、第１親水性不織布のうち基材と反対側の端部から立ち上がるように第３親水性不織布が敷設されていれば、そのような遠くまで飛散する塗膜を第３親水性不織布によって捕集することが可能となる。また第３親水性不織布は水を透過させやすい。このため、塗膜が第３親水性不織布に付着した後、水と一緒に第１親水性不織布に流れ落ちることが十分に抑制される。このため、第１親水性不織布において目詰まりが起こりにくくなり、第１親水性不織布をより長時間使用することが可能となる。
【００１６】
なお、本発明において、「親水性不織布」とは、ＪＩＳ Ｌ １９０７：２０１０の７．１．１に準拠して測定される吸水時間が２秒以上となる不織布を言う。ここで、吸水時間とは、水滴が親水性不織布からなる試験片の表面に達したときからその試験片が水滴を吸収するにつれて鏡面反射が消え、湿潤だけが残った状態までの時間を言う。
【発明の効果】
【００１７】
本発明によれば、塗膜除去作業を効率よく行うことができる塗膜除去方法が提供される。
【図面の簡単な説明】
【００１８】
【図１】本発明の塗膜除去方法の第１実施形態のうち親水性不織布を敷設する様子を示す部分切断面端面図である。
【図２】本発明の塗膜除去方法の第１実施形態のうち水を用いて塗膜を基材より剥離して捕集する様子を示す部分切断面端面図である。
【図３】本発明の塗膜除去方法の第２実施形態を示す部分切断面端面図である。
【図４】本発明の塗膜除去方法の第３実施形態を示す部分切断面端面図である。
【発明を実施するための形態】
【００１９】
以下、本発明の塗膜除去方法の実施形態について図１及び図２を参照しながら詳細に説明する。図１は、本発明の塗膜除去方法の第１実施形態のうち親水性不織布を敷設する様子を示す部分切断面端面図、図２は、本発明の塗膜除去方法の第１実施形態のうち水を用いて塗膜を基材より剥離して捕集する様子を示す部分切断面端面図である。
【００２０】
まず本発明の塗膜除去の対象物について説明する。図１に示すように、本実施形態における塗膜除去の対象物は外壁材１であり、外壁材１は、基材２と、基材２上に設けられる塗膜３とを備えている。
【００２１】
次に、上述した外壁材１の塗膜除去方法について説明する。まず図１において、符号４は地面であり、地面４には、コンクリートなどからなる家屋の基礎５が埋め込まれている。そして、基礎５の上には外壁６が設けられており、外壁６の表面に外壁材１が固定されている。また本実施形態では地面４に柵７が埋め込まれている。柵７は外壁材１の基材２に対向する位置に、基材２とほぼ平行に配置されている。
【００２２】
次に、外壁材１の塗膜３を除去する方法について説明する。
【００２３】
はじめに親水性不織布８を用意する。親水性不織布８として、本実施形態では、第１親水性不織布８Ａ、第２親水性不織布８Ｂおよび第３親水性不織布８Ｃを別々に用意する。
【００２４】
そして、第１親水性不織布８Ａは、基材２の前方の地面４上に平面状に敷設する。このとき、第１親水性不織布８Ａの基材２側の端部は、基材２の真下にあっても、基材２の真下になくてもよいが、基材２の真下にあることが好ましい。この場合、剥離された塗膜（以下、本明細書において「廃塗膜」と呼ぶ）１０をより十分に捕集することが可能となる。
【００２５】
第２親水性不織布８Ｂは、基材２と第１親水性不織布８Ａのうち基材２側の端部とを結ぶように敷設する。本実施形態では、第２親水性不織布８Ｂは、基礎５を覆うように敷設されている。
【００２６】
第３親水性不織布８Ｃは、第１親水性不織布８Ａのうち基材２と反対側の端部から、地面４から離れる方向に向かって立ち上がるように敷設する。本実施形態では、第３親水性不織布８Ｃは、柵７を覆うように敷設する。なお、第１親水性不織布８Ａ、第２親水性不織布８Ｂおよび第３親水性不織布８Ｃを敷設する順番は任意である。例えば第１親水性不織布８Ａ、第２親水性不織布８Ｂおよび第３親水性不織布８Ｃの順に敷設してもよいし、第２親水性不織布８Ｂ、第３親水性不織布８Ｃ及び第１親水性不織布８Ａの順に敷設してもよいし、第３親水性不織布８Ｃ、第１親水性不織布８Ａ及び第２親水性不織布８Ｂの順に敷設してもよい。
【００２７】
こうして親水性不織布８を敷設した後、ノズル９を有する高圧水噴射装置を用意する。そして、高圧水噴射装置を持った作業者を親水性不織布８Ａ上に配置させる。そして、ノズル９の先端を外壁材１の塗膜３に向けて、図２に示すように、ノズル９から高圧水を噴射させ、高圧水の水圧により塗膜３を基材２から剥離し、廃塗膜１０を親水性不織布８によって捕集する。
【００２８】
このとき、廃塗膜１０は、基材２の前方に飛散して地面４に向かって落ちる。その際、地面４に第１親水性不織布８Ａが敷設されているため、廃塗膜１０は水１１とともに第１親水性不織布８Ａ上に落ち、地面４上に廃塗膜１０が落ちることが十分に抑制される。しかも、第１親水性不織布８Ａは親水性を有するため、水１１は第１親水性不織布８Ａを透過しやすい。このため、廃塗膜１０だけが第１親水性不織布８Ａ上に残りやすくなる。この結果、第１親水性不織布８Ａ上に水１１が残りにくいため、この水１１が塗膜３の剥離作業の妨げとなることが十分に防止される。また、廃塗膜１０は水１１と分離されると、第１親水性不織布８Ａに絡まりやすくなる。このため、廃塗膜１０をしっかりと第１親水性不織布８Ａで捕集することが可能となる。別言すれば、廃塗膜１０が地面４に入り込むことが第１親水性不織布８Ａで十分に阻止されるため、地面４に入り込んだ廃塗膜１０を回収するための時間を省略することが可能となる。さらに、第１親水性不織布８Ａ、第２親水性不織布８Ｂおよび第３親水性不織布８Ｃは不織布である。このため、第１親水性不織布８Ａ、第２親水性不織布８Ｂおよび第３親水性不織布８Ｃは巻取りが容易であり、嵩張らないため、持ち運びが容易となる。従って、廃塗膜１０の片付作業が容易となる。以上のことから、本実施形態の塗膜除去方法によれば、外壁材１の塗膜除去作業を効率よく行うことができる。
【００２９】
また、本実施形態では、廃塗膜１０の捕集が、基材２と第１親水性不織布８Ａのうち基材２側の端部とを結ぶように敷設した第２親水性不織布８Ｂによっても行われる。このため、外壁材１の基材２と地面４との間に存在する基礎５が第２親水性不織布８Ｂによって覆われることになるため、廃塗膜１０が基礎５に付着することが十分に抑制される。このため、塗膜剥離作業が終わった後、基礎５をブラシ等でこすり落とす作業が省略可能となり、塗膜除去作業の効率がより向上する。また第２親水性不織布８Ｂは水１１を透過させやすい。このため、廃塗膜１０が第２親水性不織布８Ｂに付着した後、水１１と一緒に第１親水性不織布８Ａに流れ落ちることが十分に抑制される。このため、第１親水性不織布８Ａにおいて目詰まりが起こりにくくなり、第１親水性不織布８Ａをより長時間使用することが可能となる。
【００３０】
さらに本実施形態では、廃塗膜１０の捕集が、第１親水性不織布８Ａのうち外壁材１と反対側の端部から立ち上がるように敷設した第３親水性不織布８Ｃによっても行われる。この場合、以下の利点が得られる。すなわち、塗膜３を基材２から剥離する際、廃塗膜１０の中には基材２から遠く離れた位置まで飛散する場合もある。その点、第１親水性不織布８Ａのうち基材２と反対側の端部から立ち上がるように第３親水性不織布８Ｃが敷設されていれば、そのような遠くまで飛散する廃塗膜１０を第３親水性不織布８Ｃによって捕集することが可能となる。また第３親水性不織布８Ｃは親水性を有するため水１１を透過させやすい。このため、廃塗膜１０が第３親水性不織布８Ｃに付着した後、水１１と一緒に第１親水性不織布８Ａに流れ落ちることが十分に抑制される。このため、第１親水性不織布８Ａにおいて目詰まりが起こりにくくなり、第１親水性不織布８Ａをより長時間使用することが可能となる。
【００３１】
さらに、本実施形態では、第１親水性不織布８Ａ、第２親水性不織布８Ｂおよび第３親水性不織布８Ｃを別々に用意しており、これらはそれぞれ容易に巻き取ることができ、嵩張らないため、持ち運びが容易となる。従って、第１親水性不織布８Ａ、第２親水性不織布８Ｂおよび第３親水性不織布８Ｃの片付け作業がより容易となる。
【００３２】
なお、高圧水の圧力は、塗膜３の剥離によって露出された基材２を破壊しない程度の圧力であれば特に制限されず、例えば１０〜１００ＭＰａ程度とすればよい。また高圧水の水量も特に制限されず、例えば５〜２０Ｌ／ｍｉｎ程度とすればよい。さらに高圧水の噴射時間も一概には言えず、例えば１〜１０秒程度とすればよい。
【００３３】
次に、外壁材１及び親水性不織布８について詳細に説明する。
【００３４】
（外壁材）
外壁材１は、上述したように、基材２と、基材２上に設けられる塗膜３とを備える。基材２としては、例えば窯業系サイディング材、セメント、モルタル、鋼板などを用いることができる。
【００３５】
（親水性不織布）
親水性不織布８は、本実施形態では、第１親水性不織布８Ａ、第２親水性不織布８Ｂおよび第３親水性不織布８Ｃで構成される。第１親水性不織布８Ａ、第２親水性不織布８Ｂおよび第３親水性不織布８Ｃは互いに同一材料で構成されてもよいし、異なる材料で構成されていてもよい。
【００３６】
親水性不織布８は、不織布素材に対して親水性処理を行うことによって得ることができる。
【００３７】
不織布素材としては、例えばPP（ポリプロピレン）、PE（ポリエチレン）、ナイロン、ポリエステル、レーヨン、ビニロン、セルロース、ポリウレタン、ポリ乳酸、あるいはそれらの混紡などが挙げられる。中でも、ポリプロピレン、ポリエチレン、ポリエステルが好ましく用いられる。
【００３８】
親水性処理としては、例えば不織布素材を、シランカップリング剤を含む溶液中に浸漬した後に加熱する方法や、界面活性剤にて処理する方法や、不織布素材をプラズマ処理する方法などが挙げられる。ここで、プラズマ処理としては、例えばコロナ放電処理が挙げられる。親水性処理としては、上記方法のうち、不織布素材を界面活性剤にて処理する方法が低コストの点から好ましい。
【００３９】
また親水性不織布８の単位面積当たりの質量（以下、「目付」と呼ぶ）は、特に制限されるものではないが、１０〜１００ｇ／ｍ２であることが好ましく、２０〜６０ｇ／ｍ２であることがより好ましい。目付が１０〜１００ｇ／ｍ２の範囲にあると、１０ｇ／ｍ２未満である場合に比べて親水性不織布８が破れにくく、１００ｇ／ｍ２を超える場合に比べて、親水性不織布８の透水性がより優れたものとなる。
【００４０】
親水性不織布８の最大孔径は特に制限されないが、１００μｍ以下であることが好ましく、５０μｍ以下であることがより好ましい。
【００４１】
さらに親水性不織布８の厚さは特に制限されるものではないが、０．０１〜１．０ｍｍの範囲であることが好ましい。親水性不織布８の厚さが０．０１〜１．０ｍｍの範囲であると、０．０１ｍｍを下回る場合に比べて親水性不織布８が破れにくくなり、１．０ｍｍを超える場合に比べて、基礎５の壁面や地面４に沿わせて変形させたり、塗膜除去作業の完了後、廃棄する時にたたんだりすることが容易になる。
【００４２】
本発明は、上記実施形態に限定されるものではない。例えば上記実施形態では、高圧水噴射装置から噴射される高圧水を用いて塗膜３を基材２から剥離しているが、必ずしも高圧水を用いる必要はない。例えば、低圧水とブラシを併用して塗膜３を基材２から掻き落とすことによって剥離してもよい。この場合、外壁材１として、ＡＬＣ（軽量気泡コンクリート）を基材２として用いた外壁材を本発明の塗膜除去の対象とすることができる。
【００４３】
また上記実施形態では、親水性不織布８として、第１親水性不織布８Ａ、第２親水性不織布８Ｂおよび第３親水性不織布８Ｃが用いられているが、第２親水性不織布８Ｂおよび第３親水性不織布８Ｃの少なくとも一方は疎水性の不織布や飛散防止ネットで構成されてもよい。
【００４４】
さらに、上記実施形態では、親水性不織布８として、第１親水性不織布８Ａ、第２親水性不織布８Ｂおよび第３親水性不織布８Ｃが用いられているが、第２親水性不織布８Ｂおよび第３親水性不織布８Ｃの少なくとも一方は省略されてもよい。また第１親水性不織布８Ａ、第２親水性不織布８Ｂおよび第３親水性不織布８Ｃは、図３に示すように、一体化されていることが好ましい。この場合、第１親水性不織布８Ａ、第２親水性不織布８Ｂおよび第３親水性不織布８Ｃが連続してつながることになり、親水性不織布８間の隙間をなくすことができる。そのため、廃塗膜１０をより一層しっかりと捕集することが可能となる。
【００４５】
また上記実施形態では、地面４に柵７が埋め込まれているが、柵７は必ずしも必要なものでなく、省略が可能である。さらに柵７に代えて、図４に示すように、単管パイプで組み込まれた足場１２が地面４に埋め込まれていてもよい。この場合、足場１２には飛散防止ネット１３が設けられてもよく、この場合には、第３親水性不織布８Ｃは、足場１２のうち飛散防止ネット１３によって覆われていない部分のみを覆うように敷設されていればよい。但し、飛散防止ネット１３が足場１２に設けられていなければ、第３親水性不織布８Ｃは、足場１２全体を覆うように敷設されることが好ましい。さらに上記実施形態では、作業者が第１親水性不織布８Ａの上に配置されるが、作業者は、基材２の前方に配置されていればよい。したがって、例えば作業者は柵７に対して第１親水性不織布８Ａと反対側の地面４上に配置されていてもよい。
【００４６】
さらに、上記実施形態では、塗膜除去の対象物が外壁材１となっているが、塗膜除去の対象物はベランダを構成する側壁であってもよい。特にベランダの床面がスノコなどで構成されている場合には、側壁の内側の塗膜を、水を用いて剥離した際、スノコの隙間を塗膜が通過してしまうため、塗膜の回収が困難となる。そのため、本発明は、ベランダの側壁の塗膜を除去する場合にも有用である。この場合、第１親水性塗膜８Ａはスノコなどの床面上に敷設すればよい。
【実施例】
【００４７】
以下、実施例及び比較例を挙げて本発明の内容をより具体的に説明するが、本発明は、以下の実施例に限定されるものではない。
【００４８】
実施例及び比較例で使用した不織布は表１に示す通りである。なお、表１において、「吸水時間」は、親水性の指標となるパラメータであり、値が小さい程親水性が高いことを示すものである。また「吸水時間」は、ＪＩＳ Ｌ １９０７：２０１０の７．１．１に準拠して測定された値を言う。さらに表１において、不織布１〜３は実施例で使用され、不織布４は、比較例で使用される。
【表１】
2015223531.tif 000003
【００４９】
（実施例１）
砂利面上に、表面が劣化したアクリルシリコン系樹脂塗膜が窯業系サイディング材からなる基材上に塗装された高さ１．８ｍ、幅０．９ｍの外壁材を鉛直に設置し、基材の下には高さ１９０ｍｍのコンクリートブロックを配して模擬家屋壁を用意した。
【００５０】
一方、長辺０．９ｍ×短辺０．５ｍ×厚さ０．３ｍｍの寸法を有する長方形状の不織布１（以下、実施例において「不織布１Ａ」と呼ぶ）を用意した。
【００５１】
次に、この不織布１Ａを、第１親水性不織布として、その全体が基材の前方０．５ｍまでの砂利面を覆うように平面状に敷設した。このとき、不織布１Ａは、その先端が基材の直下に配置されるように且つ長辺が基材表面に平行に配置されるように敷設した。
【００５２】
そして、高圧洗浄機を用い、外壁材の塗膜に対して、高圧水を、水量１２Ｌ／ｍｉｎ、水圧１０ＭＰａの条件で３０秒間噴射し、基材から塗膜を剥離させた。
【００５３】
その結果、不織布の敷設されていないコンクリートブロックの表面と、不織布の敷設されていない基材から０．５ｍ以上前方の砂利面には廃塗膜がいくらか散乱していた。しかし、砂利面に敷設された不織布１Ａの表面に、剥離された多くの廃塗膜が引っかかり廃塗膜の回収が容易であった。
【００５４】
（実施例２）
長辺０．９ｍ×短辺０．１９ｍ×厚さ０．３ｍｍの寸法を有する長方形状の不織布１（以下、本実施例において「不織布１Ｂ」と呼ぶ）をさらに用意し、この不織布１Ｂを第２親水性不織布として、基材の直下よりコンクリートブロック基部までの部分、すなわち、コンクリートブロックの表面を覆うように敷設したこと以外は実施例１と同様にして、塗膜を基材より剥離させた。
【００５５】
その結果、不織布の敷設されていない基材から０．５ｍ以上前方の砂利面には廃塗膜がいくらか散乱していた。しかし、砂利面上に敷設された不織布１Ａおよびコンクリートブロックの表面を覆うように敷設された不織布１Ｂの表面にそれぞれ廃塗膜が引っかかり、不織布ごとの廃塗膜の回収が容易であった。
【００５６】
（実施例３）
不織布１Ａを、寸法を変更することなく不織布２に代えたこと以外は実施例２と同様にして塗膜を外壁材より剥離させた。
【００５７】
その結果、不織布２の敷設されていない基材から０．５ｍ以上前方の砂利面には廃塗膜がいくらか散乱していた。しかし、砂利面に敷設された不織布２およびコンクリートブロックの表面を覆うように敷設された不織布２の表面に廃塗膜が引っかかり、不織布ごとの廃塗膜の回収が容易であった。
【００５８】
（実施例４）
砂利面上に、実施例１と同様にして模擬家屋壁を用意した。さらに、基材の前方０．５ｍ部分に単管パイプで組まれた高さ０．５ｍの柵を設置した。
【００５９】
一方、不織布１Ａを２枚用意するとともに、不織布１Ｂを１枚用意した。そして、２枚の不織布１Ａのうちの１枚を第１親水性不織布として、その全体が基材の前方０．５ｍまでの砂利面を覆うように平面状に敷設するとともに、もう１枚を、第３親水性不織布として、柵を覆うように敷設した。さらに不織布１Ｂを、第２親水性不織布として、基材の直下よりコンクリートブロック基部までの部分、すなわち、コンクリートブロックの表面を覆うように敷設した。このとき、不織布１Ａ及び不織布１Ｂはいずれも、それらの長辺が基材表面に平行になるように配置した。
【００６０】
その後は実施例１と同様にして外壁材の塗膜に高圧水を噴射して塗膜を基材より剥離させた。
【００６１】
その結果、単管パイプの後ろの砂利面に僅かに廃塗膜が散乱していた。しかし、砂利面上に敷設した不織布１Ａ、コンクリートブロックの表面に敷設した不織布１Ｂ、および単管パイプ柵の下端から上端までを覆うように敷設した不織布１Ａの表面に廃塗膜が引っかかり、不織布ごとの廃塗膜の回収が容易であった。
【００６２】
（実施例５）
砂利面上に、実施例１と同様にして模擬家屋壁を用意した。さらに、基材の前方０．５ｍ部分に単管パイプで組まれた高さ３．０ｍの足場を設置した。ここで、足場の上部には飛散防止ネットを設置した。飛散防止ネットは、足場の上端から下方に向かって２．５ｍの範囲を覆うように設置した。
【００６３】
一方、長辺０．９ｍ×短辺０．５ｍ×厚さ０．４ｍｍの寸法を有する長方形状の不織布３（以下、実施例において「不織布３Ａ」と呼ぶ）を２枚用意するとともに、長辺０．９ｍ×短辺０．５ｍ×厚さ０．４ｍｍの寸法を有する長方形状の不織布３（以下、実施例において「不織布３Ｂ」と呼ぶ）を１枚用意した。そして、２枚の不織布３Ａのうちの１枚を第１親水性不織布として、その全体が基材の前方０．５ｍまでの砂利面を覆うように平面状に敷設するとともに、もう１枚を、第３親水性不織布として、砂利面から足場の飛散防止ネット下端までの部分を覆うように敷設した。さらに不織布３Ｂを、第２親水性不織布として、基材の直下よりコンクリートブロック基部までの部分、すなわち、コンクリートブロックの表面を覆うように敷設した。このとき、不織布３Ａ及び不織布３Ｂはいずれも、それらの長辺が基材表面に平行になるように配置した。
【００６４】
その後は実施例１と同様にして外壁材の塗膜に高圧水を噴射して塗膜を基材より剥離させた。
【００６５】
その結果、砂利面に敷設した不織布３Ａ、コンクリートブロックの表面に敷設した不織布３Ｂ、および砂利面から足場の飛散防止ネット下端までの部分を覆うように敷設された不織布３Ａの表面に廃塗膜が引っかかり、不織布ごとの廃塗膜の回収が容易であった。さらに飛散防止ネットにも僅かに廃塗膜が付着していたが砂利面やその他の部分には廃塗膜の散乱は見られなかった。
【００６６】
（比較例１）
不織布１Ａを砂利面上に敷設しなかったこと以外は実施例１と同様にして塗膜を基材より剥離させた。
【００６７】
その結果、コンクリートブロック面に散乱した廃塗膜がこびりつきブラシでの清掃を余儀なくされた。また、砂利面に散乱した廃塗膜は砂利のすき間に入り込み回収が不可能であった。
【００６８】
（比較例２）
不織布１Ａを、寸法を変更することなく不織布４に代えたこと以外は実施例１と同様にして塗膜を基材より剥離させた。
【００６９】
その結果、砂利面に敷設された不織布４上を、塗膜を剥離した水が廃塗膜ごと流れていき、水と共に砂利面へと流れ出した廃塗膜が砂利のすき間に入り込み回収が不可能であった。
【００７０】
（比較例３）
不織布１Ａ及び不織布１Ｂをそれぞれ、寸法を変更することなく不織布４（以下、それぞれ「不織布４Ａ」、「不織布４Ｂ」と呼ぶ）に代えたこと以外は実施例４と同様にして塗膜を基材より剥離させた。
【００７１】
その結果、塗膜を剥離した水が廃塗膜と共に不織布４Ａ上に溜まり、作業の妨げになった。また、溜まった水と廃塗膜を不織布４Ａごと回収しようとしたが、溜まった水が廃塗膜ごと流れ出し、回収が不可能であった。また、水と共に流れ出した廃塗膜が砂利のすき間に入り込み回収が不可能であった。
【００７２】
以上の結果から、本発明の塗膜除去方法によれば、塗膜除去作業を効率よく行うことができることが確認された。
【符号の説明】
【００７３】
１…外壁材
２…基材
３…塗膜
４…地面
８…親水性不織布
８Ａ…第１親水性不織布
８Ｂ…第２親水性不織布
８Ｃ…第３親水性不織布
１０…廃塗膜
１１…水
【図１】
2015223531.tif 000004
【図２】
2015223531.tif 000005
【図３】
2015223531.tif 000006
【図４】
2015223531.tif 000007